(57)【特許請求の範囲】
【請求項１】
紙葉類の束を立てて載置する載置部と、
前記載置部の一端側の側方に配置され、前記載置された紙葉類の束のうち表面側の始端部に当接しつつ回転することによって紙葉を繰り出し自身を介して反対側へ該繰り出した紙葉を移動させる繰り出しローラと、
該繰り出しローラを回転駆動する駆動手段と、
前記繰り出しローラによる紙葉類の繰り出し方向の前方近傍位置において紙葉類の角部の通過を検知する検知手段と、
該検知手段からの信号を受けて紙葉類を計数する計数手段と、
を備えてなる紙葉類計数装置において、
操作を行うために必要な操作入力及び必要な設定を行うための入力手段と、
該入力された値及び計数した枚数を記憶する記憶手段と、
この入力手段により設定値或いは実際に計数した紙葉類の枚数の少なくとも一方を表示する表示手段と、
装置の電源のオン・オフをするための電源オン・オフ手段とを設け、
所定の時間前記入力手段に入力が無い場合或いは、前記電源オン・オフ手段により電源をオフし、あらかじめ決められた時間以内に前記電源オン・オフ手段により電源が投入された場合には、前記記憶手段に記憶されている入力された値及び前記計数した紙葉類の枚数を読み出し、前記表示手段に表示するとともに、引き続いて紙葉の計数が開始された場合には前回の計数枚数に今回の計数枚数を加算して前記記憶手段に記憶させるとともに表示手段に表示させる制御手段とを
有することを特徴とする紙葉類計数装置。
【請求項２】
紙葉類の束を立てて載置する載置部と、
前記載置部の一端側の側方に配置され、前記載置された紙葉類の束のうち表面側の始端部に当接しつつ回転することによって紙葉を繰り出し自身を介して反対側へ該繰り出した紙葉を移動させる繰り出しローラと、
該繰り出しローラを回転駆動する駆動手段と、
前記繰り出しローラによる紙葉類の繰り出し方向の前方近傍位置において紙葉類の角部の通過を検知する検知手段と、
該検知手段からの信号を受けて紙葉類を計数する計数手段と、
異常の発生時に異常を示す警報手段と、
を備えてなる紙葉類計数装置において、
所望する区分枚数毎に繰出し計数を中断する為の区分枚数設定手段と、
この区分枚数設定手段によって設定された所望の枚数を前記計数手段が計数し、前記駆動手段を制御することにより前記繰り出しローラの回転を一時停止させたときに、該繰り出しローラに当接或いは近接しているとともに前記載置部に置かれた紙葉類の束より分離が始まった状態で停止している紙葉の抜き取りを前記検知手段により通過中紙葉の有無により監視し紙葉が有りから無しになって、抜き取られたと判断した場合には、異常の発生と判断し警報を前記警報手段に行わせる制御手段とを
有することを特徴とする紙葉類計数装置。
【請求項３】
前記警報手段は少なくともアラーム音の発生、表示手段における計数値或いは区分指定枚数の点滅、或いは文言表示の点灯、或いは点滅の何れかの警報を行うことを特徴とする請求項２に記載の紙葉類計数装置。
【請求項４】
請求項２記載の異常が発生した場合には、制御手段が今回の区分計数に続く次の区分計数において前記設定した枚数から１枚減算した枚数で計数を中断することを特徴とする請求項２記載の紙葉類計数装置。
【請求項５】
請求項２記載の紙葉類累計数装置は更に実際に計数した累積計数枚数を表示する表示手段を更に有し、請求項２記載の異常が発生した場合には、制御手段が今回の区分計数に続く次の区分計数において前記設定した枚数から１枚減算した枚数で計数を中断し、且つ前記の表示手段には実際に計数した枚数に１を加えた枚数を表示させることを特徴とする制御手段を有することを特徴とする紙葉類計数装置。
【請求項６】
紙葉類の束を立てて載置する載置部と、
前記載置部の一端側の側方に配置され、前記載置された紙葉類の束のうち表面側の始端部に当接しつつ回転することによって紙葉を繰り出し自身を介して反対側へ該繰り出した紙葉を移動させる繰り出しローラと、
該繰り出しローラを回転駆動する駆動手段と、
前記繰り出しローラによる紙葉類の繰り出し方向の前方近傍位置において紙葉類の角部の通過を検知するために設けられて紙葉類の繰り出し方向の前段側に配設された第１の検知手段と、
この第１の検知手段の紙葉類の繰り出し方向の後段側に設けられた第２の検知手段と、
前記第１と第２の検知手段からの信号を受けて紙葉類を計数する計数手段と、
所望する枚数毎に計数を中断する為の区分枚数を設定する区分枚数設定手段と、を備えた紙葉類計数装置であって、
前記区分枚数設定手段によって設定された所望の枚数を前記計数手段が計数し前記駆動手段を停止させたときに、次の区分計数を開始させるに当たって少なくとも前記第１の検知手段若しくは前記第２の検知手段の何れか一方が紙葉を検知している場合であっても計数再開を許容する制御手段を
有することを特徴とする紙葉類計数装置。
【請求項７】
紙葉類の束を立てて載置する載置部と、前記載置部の一端側の側方に配置され、前記載置された紙葉類の束のうち表面側の始端部に当接しつつ回転可能な繰り出しローラと、該繰り出しローラを回転駆動する駆動手段と、前記載置部上にて紙葉類の束をその裏面側から前記繰出しローラの回転周面方向に押圧する押圧手段と、前記繰り出しローラの回転周面に対向する位置に配置され紙葉類の重ね送りを防止する重ね送り防止部材と、前記繰り出しローラによる紙葉類の繰り出し方向の前方近傍位置において紙葉類の角部の通過を検知するために設けられて紙葉類の繰り出し方向の前段側に配設された第１の検知手段とこの第１の検知手段の紙葉類の繰り出し方向の後段側に設けられた第２の検知手段と、該検知手段からの信号を受けて前記第１と第２の検知手段を紙葉類が通過する時間を測定する通過時間測定手段と、計数状態に応じた複数のレベルを設定する計数状態判定レベル設定手段とを設け、前記設定したレベルに応じて前記第１のセンサを紙葉類が通過する時間と前記第２のセンサを該紙葉類が通過する時間とから演算される計数状態の良否を表す演算結果を用いて計数状態の良否を判定する制御手段とを有することを特徴とする紙葉類計数装置。
【請求項８】
前記の制御手段において、更に、第１と第２の検知手段を、紙葉類の先端が各々遮光する時間差と該紙葉類の後端が通過する時間差との比、及び前記先端が各々遮光する時間差と第１と第２のセンサの何れか１方のセンサが該紙葉類が遮光している時間との比を求めて、第１と第２のセンサを通過する紙葉類の状態を前記設定された複数のレベルに応じて判定することを特徴とする請求項７記載の紙葉類計数装置。
【発明の詳細な説明】
【０００１】
【産業上の利用分野】
本発明は,携帯性に優れた小型の紙葉類計数装置にかかり、特に設定された所定単位毎に区分して計数をするに適した紙葉類計数装置に関するものである。
【０００２】
【従来の技術】
従来から、紙葉類を計数する装置として、例えば紙幣入出金機等の金銭処理機に組み込まれた紙幣計数装置（ある金種の紙幣を所望の枚数分繰り出して計数し、金銭処理機内の出金口へ通じる搬送路へ送り出す装置）、あるいは紙幣の計数を目的とした紙幣計数装置が知られている。
【０００３】
この種の従来の紙幣等紙葉類計数装置は、例えば、特開昭５６−７６８８２号公報、特開昭６３−３７４９２号公報、特開平３−２３５１８６号公報等に開示されているように、回転する給紙ローラ等の摩擦により、集積された紙葉類を、その幅方向あるいは長手方向に一枚ずつ繰り出して搬送し、搬送される途中において、紙葉類の通過を光遮断形センサ等にて検出して計数し、再集積機構へと導くような機構となっているのが普通である。
【０００４】
しかしながら、集積された紙葉類を、その幅方向あるいは長手方向に一枚ずつ繰り出して計数する従来の計数装置では、先に繰り出した搬送中の紙葉類と後続の紙葉類との間に所定距離の間隔が必要で、そのため、紙葉類の繰り出し動作は間欠的であることが要求され、その間欠動作を実現するためには、前記給紙ローラの円周長さを大きくし、且つ円周面の一部にのみ摩擦係数の大きい部材を張設したり、搬送ベルトを用いて紙葉類の分離のための区間を形成する等、繰り出し機構の各部分が大型化し、装置が複雑化するのを避けることができない。
【０００５】
また、このような装置では、紙葉類の繰り出される間隔が十分に広いので設定された所望の枚数毎に紙葉類を区分けする区分け処理をすることも極めて容易なものであった。
紙葉類の搬送距離が長くなり、また、再集積するための機構も複雑になるなど、部品点数も多くなり、装置全体が大型化となってしまうという問題があった。この不都合を解決するため、本発明者等は先に特開平１０−９１７５１号において、紙幣等紙葉類の計数装置をコンパクトにした構成を提案した。
【０００６】
図１に示す様に、この紙葉類計数装置は、開閉可能な蓋体３を連結した本体ケース２の前面側に、紙葉類４の束を広幅面を立てた状態で斜め状に載置する載置台５を設け、その低い側に摩擦係数の大きい繰出しローラ６を配置し、本体ケース２の背面板２ａに押圧体７の基端を回動自在に枢支し、押圧体７の縦方向自由端縁にて紙葉類４の束の始端側を繰出しローラ６の回転周面の裏面に押し付ける。重ね送り防止部材８は、その自由端側が前記押圧体７の縦方向自由縁７ａに近接して繰出しローラ６の回転周面の下部側に押圧当接するように配置される。繰出しローラ６の回転駆動より一枚ずつ繰り出され、検知手段により枚数が計数される紙葉類４の始端側縦方向縁は、本体ケース２の上面板２０の側縁側に設けた第１規制部材２２と第２規制部材２４とにより、紙葉類４の放出方向が規制され、紙葉類支持体３７に再集積される。
【０００７】
上記のごとく構成された紙葉類計数装置においても、所望する所定枚数を計数する毎に計数を一時中断させて、既に計数した分を使用者が取り出すことにより、所定枚数毎の紙葉類の束を作ることができるが、繰り出し間隔が極めて短く先行する紙葉類が繰り出しローラ６を乗り越えた時にはすでに次の紙葉類が当繰り出しローラ６に当接しているため繰り出しが始まっており、載置された紙葉類束よりわずかに分離されている。
【０００８】
【発明が解決しようとする課題】
この種の紙葉類計数機は紙葉類の繰り出しを行うローラーが唯一１つであることから、所定枚数を計数した場合に繰り出しを止めるといったいわゆる区分枚数処理を行うことが難しいことが容易に想定される。つまり、紙葉類繰り出しの間隔が非常に狭く、前出の紙葉が繰出しローラーを乗り越えた瞬間には、該繰出しローラーは既に、次紙葉を繰出しつつあるということである。
【０００９】
この様な状態で設定した枚数で計数を中断するといった区分計数時には、使用者が計数済みの紙葉類を取り出す時には、誤って、繰り出しが始まっている次の紙葉類までも取り出すと言った動作をしてしまうことが危惧される。またこのような状態にあっても紙葉類を除去することなく次回の区分計数を可能にする必要がある。
【００１０】
また、電源の消費を少なくするためにパワーセーブ状態にすることにした場合であっても、簡単な操作をすることにより全活性状態に戻り、且つ、パワーセーブ突入前の状態に戻って計数を再開することができる計数装置が望まれている。
【００１１】
更に、初回計数、確認のための再計数といった計数の目的に応じた信頼度を確保した計数処理を行うことにより短時間で必要な計数が行える装置が望まれている。
【００１２】
本発明は、このような問題点を解決すべく改良した紙葉類計数装置を提供することを目的とするものである。
【００１３】
【課題を解決するための手段】
前記目的を達成するため、請求項１に記載の発明では、紙葉類の束を立てて載置する載置部と、前記載置部の一端側の側方に配置され、前記載置された紙葉類の束のうち表面側の始端部に当接しつつ回転することによって紙葉を繰り出し自身を介して反対側へ該繰り出した紙葉を移動させる繰り出しローラと、該繰り出しローラを回転駆動する駆動手段と、前記繰り出しローラによる紙葉類の繰り出し方向の前方近傍位置において紙葉類の角部の通過を検知する検知手段と、該検知手段からの信号を受けて紙葉類を計数する計数手段と、を備えてなる紙葉類計数装置において、操作を行うために必要な操作入力及び必要な設定を行うための入力手段と、該入力された値及び計数した枚数を記憶する記憶手段と、この入力手段により設定値或いは実際に計数した紙葉類の枚数の少なくとも一方を表示する表示手段と、装置の電源のオン・オフをするための電源オン・オフ手段とを設け、
所定の時間前記入力手段に入力が無い場合或いは、前記電源オン・オフ手段により電源をオフし、あらかじめ決められた時間以内に前記電源オン・オフ手段により電源が投入された場合には、前記記憶手段に記憶されている入力された値及び前記計数した紙葉類の枚数を読み出し、前記表示手段に表示するとともに、引き続いて紙葉の計数が開始された場合には前回の計数枚数に今回の計数枚数を加算して前記記憶手段に記憶させるとともに表示手段に表示させる制御手段とで紙葉類計数装置が構成される。
有することを特徴とする紙葉類計数装置。
【００１４】
また、請求項２に記載の発明は、紙葉類の束を立てて載置する載置部と、前記載置部の一端側の側方に配置され、前記載置された紙葉類の束のうち表面側の始端部に当接しつつ回転することによって紙葉を繰り出し自身を介して反対側へ該繰り出した紙葉を移動させる繰り出しローラと、該繰り出しローラを回転駆動する駆動手段と、前記繰り出しローラによる紙葉類の繰り出し方向の前方近傍位置において紙葉類の角部の通過を検知する検知手段と、該検知手段からの信号を受けて紙葉類を計数する計数手段と、異常の発生時に異常を示す警報手段と、を備えてなる紙葉類計数装置において、所望する区分枚数毎に繰出し計数を中断する為の区分枚数設定手段と、この区分枚数設定手段によって設定された所望の枚数を前記計数手段が計数し、前記駆動手段を制御することにより前記繰り出しローラの回転を一時停止させたときに、該繰り出しローラに当接或いは近接しているとともに前記載置部に置かれた紙葉類の束より分離が始まった状態で停止している紙葉の抜き取りを前記検知手段による通過中紙葉の有無により監視し紙葉が有りから無しになって、抜き取られたと判断した場合には、異常の発生と判断し警報を前記警報手段に行わせる制御手段とで構成される。
【００１５】
そして、請求項３に記載の発明では、前記警報手段が少なくともアラーム音の発生、表示手段における計数値或いは区分指定枚数の点滅、或いは文言表示の点灯、或いは点滅の何れかの警報を行うこととしている。
【００１６】
さらに、請求項４に記載の発明は、請求項２に記載の異常が発生した場合には、制御手段が今回の区分計数に続く次の区分計数において前記設定した枚数から１枚減算した枚数で計数を中断することとしている。
【００１７】
また、請求項５に記載の発明は、実際に計数した累積計数枚数を表示する表示手段を更に有し、請求項２に記載の異常が発生した場合には、制御手段が今回の区分計数に続く次の区分計数において前記設定した枚数から１枚減算した枚数で計数を中断するが、前記の表示手段には実際に計数した枚数に１を加えた枚数を表示させることとした。
【００１８】
また、請求項６に記載の発明は、紙葉類の束を立てて載置する載置部と、前記載置部の一端側の側方に配置され、前記載置された紙葉類の束のうち表面側の始端部に当接しつつ回転することによって紙葉を繰り出し自身を介して反対側へ該繰り出した紙葉を移動させる繰り出しローラと、該繰り出しローラを回転駆動する駆動手段と、前記繰り出しローラによる紙葉類の繰り出し方向の前方近傍位置において紙葉類の角部の通過を検知するために設けられて紙葉類の繰り出し方向の前段側に配設された第１の検知手段とこの第１の検知手段の紙葉類の繰り出し方向の後段側に設けられた第２の検知手段と、前記第１と第２の検知手段からの信号を受けて紙葉類を計数する計数手段と、所望する枚数毎に計数を中断する為の区分枚数を設定する区分枚数設定手段と、を備えた紙葉類計数装置であって、前記区分枚数設定手段によって設定された所望の枚数を前記計数手段が計数し前記駆動手段を停止させたときに、次の区分計数を開始させるに当たって少なくとも前記第１の検知手段若しくは前記第２の検知手段の何れか一方が紙葉を検知している場合であっても計数再開を許容することを特徴とする制御手段で構成される。
【００１９】
さらに、請求項７に記載の発明は、紙葉類の束を立てて載置する載置部と、前記載置部の一端側の側方に配置され、前記載置された紙葉類の束のうち表面側の始端部に当接しつつ回転可能な繰り出しローラと、該繰り出しローラを回転駆動する駆動手段と、前記載置部上にて紙葉類の束をその裏面側から前記繰出しローラの回転周面方向に押圧する押圧手段と、前記繰り出しローラの回転周面に対向する位置に配置され紙葉類の重ね送りを防止する重ね送り防止部材と、前記繰り出しローラによる紙葉類の繰り出し方向の前方近傍位置において紙葉類の角部の通過を検知するために設けられて紙葉類の繰り出し方向の前段側に配設された第１の検知手段とこの第１の検知手段の紙葉類の繰り出し方向の後段側に設けられた第２の検知手段と、該検知手段からの信号を受けて前記第１と第２の検知手段を紙葉類が通過する時間を測定する通過時間測定手段と、計数状態に応じた複数のレベルを設定する計数状態判定レベル設定手段とを設け、前記設定したレベルに応じて前記第１のセンサを紙葉類が通過する時間と前記第２のセンサを該紙葉類が通過する時間とから演算される計数状態の良否を表す演算結果を用いて計数状態の良否を判定する制御手段とから構成される。
【００２０】
請求項８に記載の発明は、更に、紙葉類の先端が第１と第２の検知手段を各々遮光する時間差と該紙葉類の後端が前記の検知手段を通過する時間差との比、及び前記先端が前記検知手段を各々遮光する時間差と第１と第２のセンサの何れか１方のセンサが該紙葉類が遮光している時間との比を求めて、第１と第２のセンサを通過する紙葉類の状態を前記設定された複数のレベルに応じて判定することにより達成される。
【００２１】
【発明の実施の形態】
次に、本発明を具体化した実施形態について図面に基づいて説明する。図１は本発明の一実施形態の紙葉類計数装置の本体ケースに対して蓋体を開いた状態で示す斜視図、図２は本体ケースの正面図、図３は図１に示す紙葉類計数装置の蓋体を開いた状態で示す一部切欠き平面図、図４は図３のIV−IV線矢視断面図、図５は図３のＶ−Ｖ線矢視で示す一部切欠き断面図である。
【００２２】
図に符号１で示すこの実施例の紙葉類計数装置１は、内外国の各種紙幣および紙幣程度の大きさの商品券、宝くじ券等の各種紙葉類の計数に用いるものであって、合成樹脂製の本体ケース２と該本体ケース２の前面下端にてヒンジ連結された、同じく合成樹脂製の蓋体３とで構成されており、蓋体３にて本体ケース２の前面及び上面等を塞ぐように閉じると、紙葉類計数装置１全体の形状はほぼ立方体となる。
【００２３】
前記本体ケース２には、図１及び図２に示すごとく、紙葉類４の束をその四角の長辺を底面にして立たせた状態で、左側方から右下がりに載置可能な傾斜状の載せ面５ａを有する載置部としての載置台５と、前記載置された紙葉類４のうちの表面側始端に当接しつつ回転駆動する繰出しローラ６と、該繰出しローラ６を駆動する駆動手段と、前記紙葉類４のうちの表面側始端部位を前記繰出しローラ６の回転周面に対して押圧付勢するための押圧手段としての縦板状の押圧体７と、該押圧手段に近接した部位にて繰り出される紙葉類４が重ね送りされるのを防止するための重ね送り防止部材８等が配置されている。
【００２４】
前記載置台５は、図１〜図３に示すように、本体ケース２の左側端部位にて高くなり、該載置台５の載せ面に載置した紙葉類４の長手寸法が長い場合、その紙葉類４の束の左側が本体ケース２より外に突出できるように開放されている。紙葉類４の束をその裏面側から繰出しローラ６に押圧するための押圧体７の基部は、本体ケース２における背面板２ａの左側端部近傍にて縦軸９を中心に前後回動可能に枢支されている。縦軸９に巻回する付勢手段としてのねじりばね１０にて押圧体７を本体ケース２の前方向、即ち、押圧体７の縦方向自由端縁７ａ前部近傍が繰出しローラ６の回転周面のうちの裏面側に押圧当接するように付勢している。
【００２５】
また、載置台５の左側前部位には、紙葉類４の束の前面のうち左側部位が前倒れになったり、載置台５から脱落しないようにするための前面保持部５ｂを上向きに突設させている。載置台５の低い側には、仕切り部１１が上方に突出させてあり、また、外周がウレタン樹脂製等の摩擦係数の大きい摩擦部材６ａにて被覆された繰出しローラ６は、その軸１２を前記載せ面５ａの傾斜角度より大きい傾斜角度にて配置されている。
【００２６】
図１中、本体ケース２の右側部位の収納部１９の前面は、ねじ止めされて着脱自在な合成樹脂製のカバー体１３にて覆われている。カバー体１３より奥側の収納部１９内には、前記繰出しローラ６を回転駆動するための駆動モータ１４及びギヤ装置を収納したギヤボックス１５が配置されている（図５参照）。このギヤボックス１５から突出した２つのブラケット１８には、後述するように、繰出しローラ６にて繰り出された紙葉類４の角部の通過を検出して枚数を計数するための検知手段としての、光遮断型の第１ホトセンサ１６の投光部１６ａ及び第２ホトセンサ１７の投光部１７ａが固定されている（図５参照）。その投光部１６ａ、投光部１７ａと対峙して収納部１９内には第１ホトセンサ１６の受光部１６ｂ及び第２ホトセンサ１７の受光部１７ｂが配置されている（図３及び図４参照）。
【００２７】
前記収納部１９の上方を覆う上面板２０の側縁と、前記押圧体７の縦方向自由端縁７ａとの間には、前記載置台５に立てて載置された紙葉類４の束の前縁に当接し得るガイド部２１と、第１規制部材２２とを一体的に形成された部品２３が、本体ケース２の背面板２ａ側に固定されている。また、前記上面板２０の側縁２０ａの前端部位には、爪状の第２規制部材２４が設けられている。
【００２８】
前記繰出しローラ６の回転周面の裏面側に押圧して紙葉類４の重ね送りを防止するため、ウレタンゴム片製等摩擦係数の大きい重ね送り防止部材８は、その基端部が前記部品２３にねじ止め等にて固定されている。重ね送り防止部材８は、その自由端側が前記押圧体７の縦方向自由縁７ａに近接して繰出しローラ６の回転周面の下部側に押圧当接するように配置されるものとする。紙葉類４の束の裏面側との摩擦面積を少なくするため、前記押圧体７の表面（前面）には横方向に長手の突条７ｂを複数箇所に突設することが好ましい。
【００２９】
上記繰出しローラ６は、載置台５に載置された紙葉類の束４の表面（広幅面）のうちの前端部位に当接し、該表面と略平行で且つ斜め方向の軸１２を中心に、図４の矢印Ａ方向に回転して紙葉類４を一枚ずつ斜め上方に繰り出すものである。そのため、繰出しローラ６の回転周面は、上側での直径が小さく、下側の直径が大きいような、截頭円錐状に摩擦部材６ａを形成することが好ましい。
【００３０】
繰出し中の紙葉類４が繰出しローラ６の回転周面にて摩擦により連れ回りして複数枚の紙葉類４が同時に繰り出されることを、前記重ね送り防止部材８が防止する機能を有する。また、本体ケース２における収納部１９には、前記第１ホトセンサ１６及び第２ホトセンサ１７からの検知信号をうけて紙葉類４の計数を行なう計数手段、及びその計数値を記憶する記憶手段等が内蔵されたマイクロコンピュータ式の制御基板ボックス２６と、カバー開閉スイッチ２９等が内蔵されている。
【００３１】
前記蓋体３を本体ケース２に対して閉じたとき、蓋体３の内面に突出したカバー開閉スイッチ２９が前記カバー３により押圧されて制御回路部２６を検知部・駆動部・表示部の電源をオフしたスタンバイモード、更に所定時間が過ぎた場合にはＣＰＵの電源を極端に少なくした（電源オフに等しい）ストップモードとし、蓋体３を開いてカバー開閉スイッチ２９からカバー３が離れると、制御基板ボックス２６は通常の動作状態になる。また、本体ケース２における上面板２０には、記憶手段にて記憶された紙葉類計数枚数を表示するためのＬＣＤ等のカウント表示部が設けられている。なお、複数本の乾電池３４を収納できる乾電池ボックス３３は、本体ケース２の下面と前記載置台５の下面との間に設けられ、断面Ｌ字状の覆い蓋３５を開けて乾電池３４を出し入れすることができる。
【００３２】
前記載置台５の前側であって、前記仕切り部１１の前面側等には、繰出しローラ６により繰り出し放出された紙葉類４を再度集積するための丸棒状やへら状等の紙葉類支持体３７の基端部がブラケット体３８に前後回動可能に装着されている。蓋体３を開いて本体ケース２の下面をほぼ水平にしてテーブル（図示せず）等に載置するとき、前記紙葉類支持体３７は、その自重により、先端側が仕切り部１１の前面から大きく離れるように傾斜姿勢に起立回動する。また、前記蓋体３を本体ケース２に対して閉じるとき、当該蓋体３の内面にて紙葉類支持体３７の先端部（上端部）側が図４の矢印Ｂ方向に押されて、紙葉類支持体３７は、前記仕切り部１１の前面とほぼ平行状となるように折り畳めるように構成されている。
【００３３】
図７は入力部３１の詳細を示す図であり、テンキーの部分３１ａと計数時の異常の検出レベルを設定するための読取レベル設定ボタン３１ｂ、通常計数モードと区分計数モードを切り替える為の枚数セットボタン３１ｃ、入力をキャンセルする為ののクリアーボタン３１ｄ、クリアスタートボタン３２ａ、加算スタートボタン３２ｂで構成されている。なお、枚数セットボタン３１ｃを押す毎にモードがトグルするようになっており、通常計数モードと区分計数モードが設定できる。区分枚数セットの場合には、数字キー３１ａで所望する計数枚数をセットし、いずれかのスタートボタンを押すことにより、区分計数指定枚数がメモリ部４１に記憶される。
【００３４】
図８は表示部の表示を示すものである。４桁の計数枚数を表示する数字表示部３０ａ、区分計数枚数のセット枚数を表示させる３桁の数字表示部３０ｂ、計数時の異常の検出レベルを設定するための読取レベル設定表示部３０ｃ、センサーが汚れた場合に掃除を促すクリーニングメセーッジ表示部３０ｄ、計数時にエラーを検出したときに表示する計数エラーメッセージ表示部３０ｅ、トラブルが起きた場合のトラブルメッセージ表示部３０ｆ、電池の残量を表示するバッテリーメータ３０ｇから構成されている。
【００３５】
次に、紙葉類計数装置１の構成をブロック図、図９、図１０によって説明する。制御部として機能するマイクロコンピュータ式の制御基板ボックス２６には、乾電池３４からの電源、カバー開閉スイッチ２９、繰出しローラ６を回転する駆動モータ１４、カウント枚数等を表示する表示部３０，主に数値を入力する為の操作用押しボタン３１、クリアスタート押しボタン３２ａ、加算スタート押しボタン３２ｂ第１ホトセンサ１６、第２ホトセンサ１７が接続されている。
【００３６】
この制御基板ボックス２６は、その内部に演算処理する計数手段４０と、各種設定を記憶したり、計数用のレジスタ及びその計数値を加算結果を記憶するメモリデイバイス等の記憶手段４１を有し、前記計数手段４０は第１ホトセンサ１６及び第２ホトセンサ１７の信号とタイマー４２の信号とに基づいて計数を行なう。即ち、繰出しローラ６で分離繰り出しされる紙葉類４の角部がまず第１ホトセンサ１６を遮ると計数手段４０内でパルスの立ち上がり信号が出され、紙葉類４の角部が移動して第１ホトセンサ１６を通過し、第１ホトセンサ１６の受光部１６ｂが受光状態になると前記パルスの立ち下がり信号が出される。これから若干遅れて、前記繰り出されて斜め上方へ移動する紙葉類４の角部が第２ホトセンサ１７を遮ると計数手段４０内でパルスの立ち上がり信号が出され、紙葉類４の角部が移動して第２ホトセンサ１７を通過し、第２ホトセンサ１７の受光部１７ｂが受光状態になると前記パルスの立ち下がり信号が出される。
【００３７】
一方、タイマー４２からのタイマー信号が計数手段４０へ入力されており、前述のパルスの立ち上がり信号の発生時点からタイマー信号をうけて計数手段４０においては時間測定を開始し、設定時間内にパルスの立ち下がり信号が出されると計数値１をカウントする。もし、設定時間内にパルスの立ち下がり信号が出されないときは計数異常と判断し、記憶手段４１とこれに接続されるカウント表示部３０により計数異常表示に変える。計数異常表示の例としては、表示数字を点滅表示に変える或いはメッセージを点灯させる方法等がある。前述のように、紙葉類４の角部の通過する経路に沿って若干離れた２か所に第１ホトセンサ１６と第２ホトセンサ１７とを配置することにより、計数すべき紙葉類４の角部の通過を誤検知するのを防止して、計数精度を向上させようとするものである。計数手段４０で計数値がカウントされると、そのカウント値は記憶手段４１に入力されて加算記憶され、その加算値がカウント表示部３０ａに表示される。
【００３８】
また、操作時における警報は警報手段４３により、表示手段３０及び音を発する発音部４５を駆動することによって行われる。区分枚数の設定手段４４は操作用押しボタン３１から載置される数値により枚数の設定を行い、記憶手段４１に記憶させる。クリアスタート押しボタン３２ａは区分計数及び通常計数モードで使用する際に前回からの累積計数枚数の表示をクリアしてから計数をさせたい場合に押すスタートボタンである。加算スタート押しボタン３２ｂは同様に前回の累積計数枚数の表示に今回計数する枚数加算してを表示させたい場合に押すスタートボタンである。
【００３９】
次に、前記構成の紙葉類計数装置１による紙葉類４の計数動作の詳細について説明すると、上記紙葉類計数装置１は、蓋体３を本体ケース２に対して閉じたほぼ立方体形態となる状態にて持ち運びする。そして、例えば営業の出先で営業員がこの紙葉類計数装置１を用いて紙幣等を計数する。その際、図１、図３及び図５に各々鎖線または二点鎖線で示すように、計数する紙葉類４の束を押圧体７の前面に沿わせて立てて載置台５にセットする。この場合、紙葉類４の長手方向側縁を載置台５の傾斜状の載せ面５ａに沿わせ、紙葉類４の幅方向（縦方向）の側縁のうち始端側を、前記押圧体７の縦方向自由端縁７ａと繰出しローラ６の回転周面との間に挟むようにセットし、押しボタン３２を押してスタートさせる。
【００４０】
すると、繰出しローラ６は図４の矢印Ａ方向（図４中時計方向）に高速回転する。これにより、繰出しローラ６外周面の摩擦部材６ａにて紙葉類４の束のうち表面側から紙葉類４が一枚ずつ分離されながら、押圧体７の縦自由端縁７ａと繰出しローラ６の回転周面との押圧当接部分を中心にして紙葉類４が繰出しローラ６の回転周面に沿って斜め上方向の回転力が付与されて、繰り出される。このときの作用をさらに詳細に説明すると、繰出しローラ６の回転周面に接触する紙葉類４はその前端部分が上方へ移動し、残りの紙葉類の上側縁に対しやや回転しながら斜め上方へ分離繰出しされる。
【００４１】
その時、数枚の紙葉類が重ね送り部材８の方向へ一緒に移動しようとするが、繰出しローラ６と重ね送り部材８とによるゲート作用で繰出しローラ６に接触する最前面（最前位）の紙葉類４のみがウレタンローラ６による摩擦力でもって分離繰出しされる。その最前位置の紙葉類４が斜め上方へ分離される途中で、当該紙葉類４の始端側下角部４ａ（図５参照）が第１ホトセンサ１６を遮る。
【００４２】
分離された紙葉類４の始端側下角部４ａの通過が第１ホトセンサ１６によって検知され、次いで第２ホトセンサ１７により検知されるから、これらの検知信号を受けて紙葉類４が計数され、カウント表示部１５に表示される。また、分離され、前記繰出しローラ６の回転に連れ回りして飛び出そうとする紙葉類４は、その始端側の幅方向（縦方向）の側縁が第１規制部材２２の箇所で姿勢を規制される。次いで、前記紙葉類４の始端側の幅方向（縦方向）の側縁が上面板２０の側縁２０ａに沿って図３の矢印Ｃ方向に飛び出すのを、爪状の第２規制部材２４の箇所で規制される。そして、前記繰出しローラ６の回転につれて繰り出された紙葉類４の下側縁（長手方向縁）が繰出しローラ６の上を越えて放出されるので、当該紙葉類４の表面が下向きとなり、前記紙葉類支持体３７に支持されて再度集積される。このとき、紙葉類４の後端側は、前記載置台５における前面支持部５ｂにて支持されるので、上記ような動作の繰り返しで繰り出され、放出され、再集積される紙葉類４は図３の一点鎖線で示すような姿勢の束となる。
【００４３】
上記実施例の紙葉類計数装置１の場合、一度に計数できる紙葉類の数は例えば１００枚程度であり、その場合、計数時間は、紙葉類の種類によっても異なるが、いずれにしても１０秒とかからないような短時間で済む。また、総重量は例えば４００ｇ未満と極めて軽量にできる。また、蓋体３を閉じた図２の状態では、縦と横が例えば紙幣の大きさとあまり変わらず、奥行きもあまりなくて、超小型となる。したがって、きわめて携帯性に優れ、使用場所を選ばない。なお、前記電源は乾電池に代えて、商用電源（１００Ｖ）を低圧直流電圧にして供給できるＡＣアダプタを着脱自在に接続するように構成しても良い。
【００４４】
なお、紙葉類計数装置で区分計数機能のある場合には、所望枚数の最後の紙葉類が分離繰出し計数された段階で紙葉類の繰出しを停止させることになり、この停止をより効果的に行なうには、繰出し枚数が所望枚数に近付くと繰出速度を低下させるとよい。設定された区分計数枚数が例えば９０枚と仮定すると８８枚付近で低速にするとよい。その場合所望枚数が２枚以下の場合は最初から低速で回転させることになる。
【００４５】
表１に示す遷移図により、パワーオン・オフの制御の様子を説明する。
【表１】
１．電源オン・オフ関連遷移図
0004257463.tif 000002
【００４６】
まず、待機中（状態▲１▼）に所定の時間３分間なにも操作が無かった場合には、表示を消し音楽を鳴らしてオートパワーオフモードに入る。
この状態（状態▲４▼）から更に所定の時間か経過すると▲５▼の状態に移り電源オフの状態になる。このときにはカウンタの内容およびエラーがクリアされているので、何れかのキーが押された状態で待機中（状態▲１▼）に移っても表示内容はクリアされたものが表示される。また、待機中にカバーが閉じられた場合には、表示を消しで音楽を鳴らして状態▲２▼へ移る。▲２▼の状態で所定の時間３分前に蓋が再び開けられた場合には、消去前に表示を再度表示し音楽を鳴らして待機中（状態▲１▼）に移る。一方所定の時間が経過した場合には、カウンターの内容およびエラーをクリアして状態▲３▼に移る。この状態でカバーを開かれた場合には、表示を行い音楽をならすが、表示の内容はクリアーされたものとなっている。他のケースもあるが、表１から容易に説明がつくので省略する。
【００４７】
図１１をもとに読取レベルの定義について説明する。これは、繰出し時に第１ホトセンサ１６及び第２ホトセンサ１７が紙葉類を計数するに際して正常に繰出しが行われているか、連なって繰出されていないかを検出する為に設けられている。
【００４８】
まず、紙葉が繰り出されると第１ホトセンサが遮光され、ついで、第１ホトセンサ及び第２ホトセンサの両方が遮光された状態になり、次いで第１ホトセンサが先に透光状態になり、ついで、第２ホトセンサが透光状態となる。第２ホトセンサのみが遮光している時間（Ｙ）とのみが遮光している時間（Ｘ）との比率（Ｙ／Ｘ）を監視する。次は第１ホトセンサとのいずれかが遮光している時間（Ｚ）と第１ホトセンサのみが遮光している時間（Ｘ）の比率（Ｚ／Ｘ）を監視している。ただし区分計数モードにおいて、所望する枚数毎に計数を中断した時に少なくとも第１ホトセンサ若しくは第２ホトセンサの何れか一方が紙葉を検知している場合、次回の計数の１枚目はこれらの監視を行わず正常と判断し、２枚目以降検知するようにしている。読取レベル設定ボタン３１ｂを押す都度、４→３→２→１→４の順に順次レベルメーター表示がローテートして変わる。最新の表示が設定内容となる。
【００４９】
ここで、４が設定された場合には、監視のレベルが最も厳しくなり、３が設定された場合は、次に厳しい監視レベルが設定され、２が設定された場合は最も緩やかな監視レベルが設定される。１が設定された場合には、監視を行わない。表２に示された値は統計的に求められたもので、本実施例の１例である。
【００５０】
【表２】
0004257463.tif 000003
Ｋ１、Ｋ２は係数である。
【００５１】
次にフローチャートを示して発明を説明する。まず、本実施例に用いる紙幣計数装置に電源を投入したところと、電池を電源に使用した場合に電池の消耗を防ぐためのパワーセーブについて説明する。図１２、図１３、図１４において、まず装置に電池を挿入することにより電源を投入する（ステップＳ１００）。これにより、ＣＰＵがプログラムを最初から実行しシステムの初期化を行う（ステップＳ１０１）。次にデフォルトの設定として、通常計数モードに設定する（ステップＳ１０２）。次に使用されずに放置されているかどうかのチェック用のタイマーをスタートさせる（ステップ１０５）。
【００５２】
次に現在設定されているモードを調べ、通常計数モードかどうかをチェックする（Ｓ１０６）。ＹＥＳであれば、通常計数モードの待機中の表示を行う（ステップＳ１０７）。その後、キー３１ｃの操作により区分計数モードに指定変更されるかどうかを調べ（ステップＳ１０８）変更指示があれば区分計数モードにセットし（ステップ１１６）、次にタイムアップかどうかを調べ（ステップＳ１０９）、タイムアップであればステップＳ１１７へ進むが、まだであれば、カバー３が閉になったかを調べ（ステップＳ１１０）閉であれば、ステップＳ１２５へジャンプする。カバー３が開のままであれば、次に計数スタートの釦３２ａまたは３２ｂが押されているか調べ（ステップＳ１１１）、押されていれば計数処理へ進む、でなければ、ステップＳ１０６へ戻り上述のルーチンをループする。また、ステップＳ１０６で区分計数モードの設定がなされていた場合には区分計数モードの待機中の表示（ステップＳ１１３）を行い、通常計数モードに変更する設定に成っていないか調べ（ステップＳ１１４）、変更する場合には通常計数モードにセットする（ステップＳ１１５）。そして、ステップＳ１０９に進む。また、ステップ１１４で通常計数モードに変更することが無かった場合には、ステップＳ１０９にジャンプする。
【００５３】
次にステップＳ１０９で所定時間内に一切の操作入力が無くタイマーがタイムアップになった場合には、スタンバイモードが設定される（ステップＳ１１７）。このスタンバイモードでは、表示を消して電力消費が少なくなるように制御される。次にタイマーをセットして所定時間の間に操作が有るかどうかを調べる（ステップＳ１１８）。まず、カバー３が閉められたかを調べ、（ステップＳ１１９）閉められた場合には、ステップＳ１２７に進む。カバー３が閉にされなかった場合には、次に（ステップＳ１２０）そして、操作があれば、前述のステップＳ１０５に戻る。ステップＳ１２１は一例ではあるが、所定時間の３分が経っていなければステップＳ１１９に戻る。そして、経過していれば、現在記憶している計数値の記憶エリアをクリアして（ステップＳ１２２）、カバー３が閉められたかを調べ（ステップＳ１２３）、カバー３閉を検知すればＳＴＯＰモードとなる。この後はカバー３開により割り込み処理がなされてステップＳ１０３からスタートする。また何れかのキー操作が有るか調べ（ステップＳ１２４）無ければステップＳ１２３へ戻る。あれば、ステップＳ１０５へジャンプする。
【００５４】
ステップＳ１２５にジャンプ後はスタンバイモードにし、タイマーをセットし（ステップＳ１２６）、カバー３が閉から開になったかを調べ（ステップＳ１２７）、開の場合はステップＳ１０５へ進む。一方、カバー３が閉のままの場合には、タイマーアップになったか調べ（ステップＳ１２８）まだの場合にはステップＳ１２７に戻り、タイムアップの場合には、これまでのカウント値をクリアし（ステップＳ１２９）、ＣＰＵをストップモードに設定する（ステップＳ１３０）。この後はカバー３開により割り込み処理がなされてステップＳ１０３からスタートする。
【００５５】
次に図１６、図１７、図１８をもとに計数時の動作を説明する。まず、紙葉が載置部にセットされてスタート釦が押下された後から説明する。センサチェックが行われ（ステップＳ１５０）、押された釦がクリアスタートボタン３２ａかどうかをチェックし（ステップＳ１５１）、クリアスタートボタン３２ａであれば、表示部３０及び、記憶部４１の枚数カウンタをクリアーする（ステップＳ１５２）。ただし区分計数モードにおいて、所望する枚数毎に計数を中断した時に少なくとも第１ホトセンサ若しくは第２ホトセンサの何れか一方が紙葉を検知している場合、センサチェックは実行せず正常としている。そして、駆動モータ１４をオンする。ステップＳ１５１で加算スタート釦３２ｂが押されていたらステップＳ１５２をスキップし、ステップＳ１５３にジャンプし駆動モータ１４をオンにする。これにより紙葉類の繰出しが始まる。
【００５６】
次に計数監視用のタイマー４２をスタートさせて（ステップＳ１５４）、紙葉の到来を待つ。第１のホトセンサであるセンサ１６が遮光されるかを待つ（ステップＳ１５５）。センサ１６に紙葉が到達していたらその時の時刻を記録する（ステップＳ１５６）、記憶部４１にある計数カウンタを＋１カウントアップする（ステップＳ１５７）。次にあらかじめ指定され記憶している区分計数のための指定枚数が計数カウンタの値と同じかどうかをチェックし（ステップＳ１５８）一致しており計数を終了するのであれば駆動モータ１４を減速させ（ステップＳ１５９）、そうで無ければステップＳ１５９はスキップする。次にセンサ１７を遮光しているかどうかを調べ（ステップＳ１６０）、遮光であれば、その時刻を記録する（ステップＳ１６１）。次にセンサ１６が透光になったかを待ち（ステップＳ１６２）、透光になれば時刻を記録する（ステップＳ１６３）。次にセンサ１７を紙葉が通過して透光になるのを待つ（ステップＳ１６４）。透光になったときにその時刻を記録する（ステップＳ１６５）。次に表示を＋１したもので書き換え更新する（ステップＳ１６６）。次にセンサ１６遮光からセンサ１７遮光までのＸ時間及びセンサ１６透光からセンサ１７透光までのＹ時間、及びセンサ１６遮光からセンサ１７透光までのＺ時間の算出を行う（ステップＳ１６７）。
【００５７】
次にこれら求めたＸ時間、Ｙ時間、Ｚ時間及び記憶部４１に記憶している設定レベルに応じた判定値を用いて判定を行う（ステップＳ１６８）。結果、エラーの発生と判断した場合には、駆動モータ１４を停止させ（ステップＳ１７０）、エラーが発生していることを、音、或いはメッセージ、或いは計数値を点滅させることにより行う（ステップＳ１７１）。その後、状態はエラー解除モードに移る。
【００５８】
ステップＳ１６９で、エラーの発生が無い場合には、指定枚数の繰出し計数が完了したかカウンタの計数値を調べ（ステップＳ１７２）、計数が完了していなければ、ステップＳ１５５に戻る。指定枚数を計数している場合には、駆動モータ１４を停止させ（ステップＳ１７３）て、待機中に状態を移行させる。
【００５９】
次に図１９、図２０をもとに、区分計数終了直後からの処理について説明をする。まず、所定の区分枚数の紙葉が計数されたあとには、次の紙葉が既にセンサを遮光した状態で繰出しローラ６が停止している可能性があるのでセンサが遮光されているかどうかをチェックする（ステップＳ２００）。センサが遮光されていなければ後述するステップＳ２０８へジャンプする。センサが遮光されていれば次のステップに進む。ここで、センサはセンサ１６、センサ１７の何れか或いは両方が遮光されている場合を含む。
【００６０】
次に装置が放置された状態になっていないかの監視を開始する為のタイマー４２をスタートさせる（ステップＳ２０１）。次にスタートボタンの押下が無いかどうかを調べ（ステップＳ２０２）、有れば設定枚数の計数処理（ステップＳ２１４）して区分計数終了直後のステップＳ２００へジャンプする。なお、このステップＳ２０８における設定枚数の計数処理の詳細は省略する。
【００６１】
スタートボタンがまだ押されていない場合には、ステップＳ２０１でスタートさせておいたタイマー４２がアップしていないかをチェックし（ステップＳ２０３）、タイムアップをしている場合には、装置が放置された状態と判断し、待機中に戻る。タイムアップしていない場合には、センサ１６、１７がＯＦＦになったかどうかを調べ（ステップＳ２０４）まだ、紙葉の状態に変化が無ければステップＳ２０２に戻って前記のルーチンを繰り返す。待機中に戻った場合の処理の詳細は前述の図１３、図１４，図１５の説明と重複することになるので省略する。
【００６２】
センサ１６または１７がＯＦＦになって、透光状態になっている場合には、紙葉が抜き取られたと判断し、表示枚数を＋１して表示し（ステップＳ２０５）、メモリ４１内に設けられている次回繰出し枚数用のレジスタの設定枚数を１枚減算しておく（ステップＳ２０６）。そして警報を行う。音の発生、或いは、表示している枚数を点滅表示させる。メッセージによる表示、特定部の点滅等によって警報を行わせる（ステップＳ２０７）。その後待機中となる。
【００６３】
本実施例において、紙葉類計数装置はストップモードと呼ばれるＣＰＵのクロック周波数を通常よりも遅くしてものとしてほとんど回路電流が流れない状態にして、電池の消耗を少なくする様にしており、キーの操作および、カバーを開くことにより、割り込みが発生し、通常の動作状態に回路動作状態を戻す様にしている。これは、ＣＰＵのスタンバイモード、ストップモードの機能を利用している。これはちょうど電源のオンオフ制御をさせることに匹敵する。
【００６４】
【発明の作用及び効果】
以上に詳述したように、請求項１に記載の発明の紙葉類計数装置によれば、区分計数に限ることなく、計数を中断或いは終了した状態でカバー３を閉じる等を行って電源を切ってしまった場合にでもカバー３を開ける等を行って電源を投入し再度計数を再開させることができるので、電源をオフした後に残りの計数すべき紙葉類を見つけた場合でも、設定を再度行うことなく計数を再開できる。また、累積計数枚数も記憶されており都合が良い。
【００６５】
本発明の紙葉類計数装置は、載置部に置かれた多数の紙葉類の一部を区分計数した場合に、区分計数したときに次の紙葉がすでに途中まで繰り出されているが、誤って使用者に抜き取られた場合には、区分計数した枚数が１枚よけいになるが、警報により使用者に知らせることにより誤りを防ぐことができる効果がある。
【００６６】
また、本発明の紙葉類計数装置では、設定された区分枚数を計数しした後、次の区分枚数となる紙葉が既に繰り出し途中でとまっていても、これを使用者が戻すことなく計数を開始することができる。
【００６７】
さらに、区分計数後に使用者が誤って次ぎの区分となる紙葉を抜き取ってしまっても、次の区分計数した分に追加する処理を行うことにより、計数をやりなおさなくても良い。
【００６８】
本発明の紙葉類計数装置では、その計数の目的に応じたエラー検知レベルを設定できるので、目的に応じた信頼度で計数をさせることができる。
【図面の簡単な説明】
【図１】本発明の一実施例の紙葉類計数装置の本体ケースに対して蓋体を開いた状態で示す斜視図である。
【図２】紙葉類計数装置の蓋体を省略して示す本体ケースの正面図である。
【図３】紙葉類計数装置の蓋体を開いた状態で示す一部切欠き平面図である。
【図４】図３のIV−IV線矢視断面図である。
【図５】図３のＶ−Ｖ線矢視一部切欠き断面図である。
【図６】本体ケースに対して蓋体を開いた状態の下面図である。
【図７】表示部を説明する図である。
【図８】操作部を説明する図である。
【図９】本発明の構成を示すブロック図である。
【図１０】本発明の他の構成を示すブロック図である。
【図１１】計数レベルを説明するタイミングチャートである。
【図１２】第１の発明を説明するフローチャートである。
【図１３】第１の発明を説明するフローチャートである。
【図１４】第１の発明を説明するフローチャートである。
【図１５】第１の発明を説明するフローチャートである。
【図１６】計数レベルを説明するフローチャートである。
【図１７】計数レベルを説明するフローチャートである。
【図１８】計数レベルを説明するフローチャートである。
【図１９】区分計数直後を説明するフローチャートである。
【図２０】区分計数直後を説明するフローチャートである。
【符号の説明】
１ 紙葉類計数装置
２ 本体ケース
３ 蓋体
４ 紙葉類
５ 載置部としての載置台
５ａ 載せ面
５ｂ 前面支持部
６ 繰出しローラ
１１ 仕切り部
１６ 第１ホトセンサ
１７ 第２ホトセンサ
１４ 駆動手段としての駆動モータ
３１ 操作部
３１ｂ  読取レベル設定ボタン
４２    計数手段
４１    記憶手段
４９    制御手段
４３    警報手段
４４    区分枚数設定手段
【図１】
0004257463.tif 000004
【図２】
0004257463.tif 000005
【図３】
0004257463.tif 000006
【図４】
0004257463.tif 000007
【図５】
0004257463.tif 000008
【図６】
0004257463.tif 000009
【図７】
0004257463.tif 000010
【図８】
0004257463.tif 000011
【図９】
0004257463.tif 000012
【図１０】
0004257463.tif 000013
【図１１】
0004257463.tif 000014
【図１２】
0004257463.tif 000015
【図１３】
0004257463.tif 000016
【図１４】
0004257463.tif 000017
【図１５】
0004257463.tif 000018
【図１６】
0004257463.tif 000019
【図１７】
0004257463.tif 000020
【図１８】
0004257463.tif 000021
【図１９】
0004257463.tif 000022
【図２０】
0004257463.tif 000023